(57)【要約】【課題】配線基板において被覆層の貼りずれが生じた場合であっても、配線基板上の適正な位置に電子部品を実装する。【解決手段】ランド６を、導体８の幅寸法よりも大きい幅寸法となるように形成し、ランド６の全体を、開口部１０から露出させ、ランド６の周縁部から押さえ部１１を延出し、押さえ部１１の先端部を、被覆層９によって被覆する。【選択図】            図１
2005050975.tif 000002
【特許請求の範囲】
【請求項１】
基体の一面に導体が形成され、前記導体を被覆するように被覆層が形成され、前記導体のうち電子部品の電極と接続されるランドが前記被覆層に形成された開口部から露出している配線基板のランド構造であって、
前記ランドが、該ランドに連設される導体の幅寸法よりも大きい幅寸法となるように形成されており、前記ランドの全体が、前記開口部から露出していることを特徴とする配線基板のランド構造。
【請求項２】
前記ランドの周縁部から押さえ部が延出形成されており、押さえ部の先端部が接続されており、前記押さえ部材の他端部が、前記被覆層によって被覆されている請求項１に記載の配線基板のランド構造。
【請求項３】
前記開口部から露出しているランドの内角が１５０°以上である請求項２に記載の配線基板のランド構造。
【発明の詳細な説明】
【０００１】
【発明の属する技術分野】
本発明は、電子部品の電極をはんだ付けすることにより電気的に接続するのに好適な配線基板のランド構造に関する。
【０００２】
【従来の技術】
一般に、一対の基板の間隙に液晶が充填され所定の前記液晶に電界を与えて画像等の表示を行う液晶表示パネルに照射光を照射するため、前記液晶表示パネルが内蔵された液晶表示装置は、ＬＥＤ等の光源部品が実装されたＰＣＢ（Ｐｒｉｎｔｅｄ  Ｃｉｒｃｕｉｔ  Ｂｏａｒｄ  ）やＦＰＣ（Ｆｌｅｘｉｂｌｅ  Ｐｒｉｎｔｅｄ  Ｃｉｒｃｕｉｔ）等の配線基板を有している。前記配線基板と光源との接続は、前記配線基板のランドにＬＥＤ（Ｌｉｇｈｔ  Ｅｍｉｔｔｉｎｇ  Ｄｉｏｄｅ）等の光源部品の電極をはんだ付けして接続することにより行われており、前記光源部品は前記配線基板を介して導通されることにより照射光を照射するようになっている。
【０００３】
従来の配線基板は、図３に示すように、基体１６の一面に複数の導体１７がパターニングにより形成されており、前記各導体１７における電子部品としての光源部品２０の実装位置のうち前記光源部品２０の電極（図示せず）に対向する部分は、前記電極と接続されるランド２２とされている。
【０００４】
また前記基体１６の一面には、前記各導体１７を被覆するように被覆層１８が設けられており、前記導体１７におけるランド２２の部分は、前記被覆層１８に形成された開口部１９によって露出している。
【０００５】
この配線基板１５のランド構造は、矩形状の前記開口部１９における長手方向に直交する方向における両側辺部分から、前記各導体１７のうち隣接する各導体１７の対向する一側辺部分１７ａ，１７ｂが露出されるようにして構成されている。
【０００６】
そして、前記ランド２２に前記光源部品２０の電極をはんだ付けして電気的に接続することにより、前記配線基板１５上の所定の位置に前記光源部品２０を実装するようになっていた。
【０００７】
【発明が解決しようとする課題】
しかし、前記配線基板１５においては、図３に示すように前記開口部１９の長手方向に平行な方向または直交する方向等に±０．２μｍ程度の被覆層１８の貼りずれが生じる場合がある。このような場合には、前記配線基板１５におけるランド２２の形成位置も前記被覆層１８の貼りずれと同じ方向にずれてしまう。ひいては、前記ランド２２上にはんだを介して前記光源部品２０を載置したとき、前記はんだの表面張力によるセルフアライメント効果により前記光源部品２０が移動してしまい、前記配線基板１５上における前記光源部品２０の実装位置はずれて、実装不良が生じることとなる。この結果、前記液晶表示装置において前記光源部品は適当な位置から前記液晶表示パネルに照射光を照射することができず、良好な表示を行うことができないおそれがあった。
【０００８】
また、前記開口部１９の長手方向に前記被覆層１８の貼りずれが生じた場合には、１つの開口部１９内における各ランド２２の大きさが異なってしまう。このような場合、前記光源部品２０の各電極は大きなランド２２ａおよび小さなランド２２ｂに接続されるが、このとき前記光源部品２０は前記大きなランド２２ａ上に濡れ広がったはんだに引き寄せられてしまい、小さなランド２２ｂに接続された電極は前記小さなランド２２ｂ上から剥離し、前記光源部品２０が配線基板１５上から立ち上がってしまうおそれがあるという問題を有していた。
【０００９】
本発明はこれらの点に鑑みてなされたものであり、配線基板において被覆層の貼りずれ、すなわち開口部１９の形成位置のずれが生じた場合であっても、配線基板上の適正な位置に光源部品等の電子部品を実装することが可能な配線基板のランド構造を提供することを目的とする。
【００１０】
【課題を解決するための手段】
前記目的を達成するため、請求項１に記載の発明に係る配線基板のランド構造の特徴は、基体の一面に導体が形成され、前記導体を被覆するように被覆層が形成され、前記導体のうち電子部品の電極と接続されるランドが前記被覆層に形成された開口部から露出している配線基板のランド構造であって、前記ランドが、該ランドに連設される導体の幅寸法よりも大きい幅寸法となるように形成されており、前記ランドの全体が、前記開口部から露出している点にある。
【００１１】
この請求項１に記載の発明によれば、開口部からランドの全体が露出しているので、基体上に被覆層を貼着するにあたり、多少前記被覆層の貼りずれが生じた場合であっても、前記ランドの形成位置が移動してしまうことを防止することができる。また、１つの開口部から露出した前記各ランドの大きさが異なってしまうのを防止することができる。
【００１２】
また、請求項２に記載の発明に係る配線基板のランド構造の特徴は、前記ランドの周縁部から押さえ部が延出形成されており、前記押さえ部の先端部が、前記被覆層によって被覆されている点にある。
【００１３】
この請求項２に記載の発明によれば、各ランドの周縁部から押さえ部が延出し、前記押さえ部の先端部は被覆層により被覆されているので、前記押さえ部により前記各ランドを配線基板の基体上に確実に押さえつけることができる。
【００１４】
また、請求項３に記載の発明に係る配線基板のランド構造の特徴は、前記開口部から露出しているランドの内角を１５０°以上とする点にある。
【００１５】
この請求項３に記載の発明によれば、ランドの剥離を引き起こしやすい鋭角な頂部がなくなり、ランド剥離を確実に抑えることができる。
【００１６】
【発明の実施の形態】
以下、本発明にかかる配線基板のランド構造の実施形態を図１を参照して説明する。なお、本実施形態においては配線基板のランドに液晶表示パネルに照射光を照射するためのＬＥＤ等からなる光源部品を実装する場合を用いて説明するが、前記配線基板のランドに実装される電子部品は前記液晶表示パネルに用いられる光源部品に限定されるものではなく、抵抗、コンデンサ等の電子部品であってよい。
【００１７】
図１は、本実施形態にかかる配線基板のランド構造を示す模式的平面図であり、図２は、図１に示す配線基板を示すＡ−Ａにおける断面図である。
【００１８】
図１に示すように、前記配線基板１は、プラスティックフィルム等からなる基体２を有し、前記基体２の一面には、銅箔等の導電金属からなる複数の導体８がパターニングして形成されている。
【００１９】
また、前記各導体８の一端部は、前記配線基板１上における光源部品３の実装位置に位置するように配置されており、前記各導体の一端部には、前記光源部品３の各電極５に対向するように設けられた矩形状のランド６が前記導体８の一部として前記導体８と一体に形成されている。前記各ランド６は、前記各導体８の長手方向に直交する方向の幅寸法よりも大きい幅寸法となるように形成され、前記各導体８を介して導通されるようになっている。
【００２０】
また、前記基体２の一面には、前記各導体８を被覆するように被覆層９が設けられており、前記被覆層９における前記光源部品３の実装位置には、矩形状の開口部１０が形成されている。
【００２１】
そして、前記光源部品３の各電極５に接続される一対のランド６は、それらの全体が前記被覆層９によって被覆されずに前記開口部１０から露出されるようになっており、これら１つの開口部１０から露出された前記一対のランド６は、同じ大きさとなるように形成されている。
【００２２】
また、前記各ランド６の各角部から押さえ部１１が延出している。前記各押さえ部１１は、前記被覆層９が設けられている方向に延在し、前記各押さえ部１１の先端部は前記被覆層９によって被覆されるようになっている。
【００２３】
そして、前記押さえ部１１は、前記ランド６の内角が１５０°以上であることが好ましく、図１においては２７０°となっている。なお、前記改革とは多角形の隣り合う辺が形成する多角形の内部の角である。この内角を１５０°以上とすることで、前記ランド６のランド剥離発生箇所を削減することができる。すなわち、開口部１０により露出されたランド６にランド剥離を引き起こすような鋭角な頂部をなくすことで、基体２からランドが剥がれるという不具合を確実に防止することができる。
【００２４】
このような配線基板１のランド構造により前記光源部品３を実装する場合、前記各ランド６上にはんだを塗布し、前記はんだが塗布されたランド６上に光源部品３の電極５と前記各ランド６とが対向するように前記光源部品３を載置する。続いて、前記はんだに加熱処理を施して前記はんだを溶融させた後、前記はんだをランド６上において固化させて前記各ランド６と前記各電極５とを接続することにより、前記光源部品３を前記配線基板１に実装する。
【００２５】
次に、本実施形態の作用について説明する。
【００２６】
本実施形態による配線基板１のランド構造によれば、前記各ランド６は前記開口部１０からそれらの全体が露出しているので、前記基体２上に前記開口部１０が形成された被覆層９を貼着するにあたり、図１における前記開口部１０の長手方向に直交する方向や平行な方向さらには斜め方向に前記被覆層９の貼りずれが生じた場合であっても、前記各ランド６の形成位置が移動してしまうことを防止することができる。また、前記開口部１０の長手方向に平行な方向に前記被覆層９の貼りずれが生じた場合であっても、１つの開口部１０から露出された前記各ランド６の大きさが異なってしまうのを防止することができる。
【００２７】
したがって、前記基体２上において被覆層９の貼りずれが生じた場合であっても、光源部品３を前記被覆層９の貼りずれの方向と同じ方向に移動させて実装してしまう実装不良の発生を防止し、配線基板１上において適正な実装位置に前記光源部品３を実装することが可能である。これにより、前記配線基板を利用した液晶表示装置において、前記光源部品３は適当な位置から液晶表示パネルに照射光を照射することができ、液晶表示パネルは明るく良好な表示を行うことができる。
【００２８】
また、前記被覆層９の貼りずれが生じた場合であっても１つの開口部１０から露出した各ランド６の大きさが異なることはないので、大きなランド６上に濡れ広がったはんだに引き寄せられて電極５が小さなランド６から剥離して光源部品３が配線基板１上において立ち上がってしまうという現象を回避して、光源部品３の実装不良の発生を防止することができる。
【００２９】
さらに、前記各ランド６の各角部がそれぞれ押さえ部１１が延出し前記各押さえ部１１の先端部は前記被覆層９により被覆されているので、前記各押さえ部１１により前記各ランド６を前記基体２上に押さえつけることができる。これにより、前記開口部１０によって露出している前記各ランド６が前記基体２上から剥離してしまうのを確実に防止することができる。特に、本発明に係る配線基板１のランド構造をフレキシブル配線基板に利用した場合であって、前記フレキシブル配線基板を折曲して使用する場合であっても、前記各ランド６が前記基体２から剥離してしまうのを防止することができる。
【００３０】
なお、本発明は前記実施形態に限定されるものではなく、必要に応じて種々変更することが可能である。
【００３１】
例えば、本実施形態における各ランド６は矩形状に形成されているが、これに限定されず、前記各ランド６の全体が前記被覆層９の開口部１０から露出され前記光源部品３の各電極５と接続可能なものであれば、その形状は限定されない。
【００３２】
また、本実施形態においては、１つの開口部１０から露出されているランド６は２つであるが、これに限定されず、前記光源部品３の各電極５の数量に応じて形成することができる。
【００３３】
さらに、前記各押さえ部１１は、矩形状の前記各ランド６の各角部の全部から延出形成されているが、これに限定されず、例えば矩形状の前記各ランド６の対向する各角部から延出されていてもよく、前記各ランド６が前記基体２上から剥離してしまうのを防止することができれば、接続位置や数量は限定されない。
【００３４】
【発明の効果】
以上述べたように、請求項１に記載の発明に係る配線基板のランド構造によれば、基体上において被覆層の貼りずれが生じた場合であっても、電子部品を被覆層の貼りずれの方向と同じ方向に移動させて実装してしまう実装不良の発生を防止し、配線基板上において適正な実装位置に前記電子部品を実装することが可能である。
【００３５】
また、１つの開口部によって露出した各ランドの大きさが異なることはないので、大きなランド上に濡れ広がったはんだに引き寄せられて電子部品の電極が小さなランドから剥離する結果、電子部品が配線基板上において立ち上がってしまうという現象を回避し、電子部品の実装不良の発生を防止することができる。
【００３６】
また、請求項２に記載の発明に係る配線基板のランド構造によれば、各押さえ部により各ランドを基体上に押さえつけることができるので、開口部から露出している各ランドが前記基体上から剥離してしまうのを確実に防止することができる。
【００３７】
さらに、請求項３に記載の発明に係る配線基板のランドの構造によれば、ランドの剥離を引き起こしやすい鋭角な頂部がなくなり、ランド剥離を確実に抑えることができる。
【図面の簡単な説明】
【図１】本発明に係る配線基板のランド構造の一実施形態を示す模式的平面図
【図２】図１の配線基板を示すＡ−Ａにおける模式的断面図
【図３】従来の配線基板のランド構造を示す模式的平面図
【符号の説明】
１  配線基板
２  基体
３  光源部品
５  電極
６  ランド
８  導体
９  被覆層
１０  開口部
１１  押さえ部
【図１】
2005050975.tif 000003
【図２】
2005050975.tif 000004
【図３】
2005050975.tif 000005